(57)【要約】      （修正有）【課題】横抱き状態で保持される幼児の身体に締め付けなどによる圧迫感を与えることなく、幼児をより安定良く、安全に保持し、しかも、夏場の日差しや冬場の冷気などから幼児を保護するベビーキャリアを提供する。【解決手段】幼児を縦抱き状態で保持する縦抱き用キャリア体Ａ１と、縦抱き用キャリア体Ａ１に装着されて幼児を横抱き状態で保持する横抱き用キャリア体Ａ２とを備え、横抱き用キャリア体Ａ２は、幼児を寝かせた姿勢で収容保持する横抱きキャリア部１２の長手方向の両側に、縦抱き用キャリア体Ａ１の縦抱きキャリア部１の両側に着脱可能に連結するための連結手段を備えている。【選択図】図１
0003171045.tif 000002
【実用新案登録請求の範囲】
【請求項１】
寝かせた横抱きと立たせた縦抱きとのそれぞれの状態で幼児を保持するベビーキャリアであって、
幼児を縦抱き状態で保持する縦抱き用キャリア体と、
該縦抱き用キャリア体に着脱可能に装着されて幼児を横抱き状態で保持する横抱き用キャリア体と、を備え、
前記横抱き用キャリア体は、幼児を寝かせた姿勢で収容保持する略横長状に形成される横抱きキャリア部と、
該横抱きキャリア部の長手方向の両側を、前記縦抱き用キャリア体の縦抱きキャリア部または左右の肩掛けベルトに対して着脱可能に連結するための連結手段と、を備えて構成されていることを特徴とするベビーキャリア。
【請求項２】
前記横抱き用キャリア体の横抱きキャリア部は、前記縦抱きキャリア部の内側に位置して該縦抱きキャリア部に支持されるように形成されていることを特徴とする請求項１に記載のベビーキャリア。
【請求項３】
前記横抱き用キャリア体の横抱きキャリア部は、幼児の寝かせ保持領域に所定の保形性を有するパッド部材を備え、かつ、幼児を保持するベルト部材を備えていることを特徴とする請求項１または請求項２に記載のベビーキャリア。
【考案の詳細な説明】
【技術分野】
【０００１】
本考案は、幼児を保持するベビーキャリアに係り、特に、寝かせた横抱きと立たせた縦抱きとのそれぞれの状態で幼児を保持することができるベビーキャリアに関する。
【背景技術】
【０００２】
幼児を保持する保持体として使用されるベビーキャリア（子守帯）を大別すると、幼児の成長に合わせて寝かせた姿勢で幼児を保持する横抱き用と、立たせた姿勢で幼児を保持する縦抱き用との２種類がある。そして、幼児を寝かせた横抱きでの使用時期から幼児を立たせた縦抱きでの使用時期まで継続して使用することができる構成のベビーキャリアは知られている。
すなわち、生後間もない首、腰がすわる前の乳児期の幼児を略水平状に寝かせた横抱き状態での保持と、そして、生後約３〜４ヶ月以降の首、腰がすわった幼児を略垂直状に立たせた縦抱き状態での保持との双方の保持機能を兼ね備えている所謂横抱き・縦抱き兼用のベビーキャリアは知られている（例えば、特許文献１および特許文献２などを参照）。
【０００３】
例えば、特許文献１に記載されているベビーキャリアは、使用者（保護者）の身体に装着される使用者装着部材と、この使用者装着部材に対して着脱可能に取り付けられて幼児を横抱き状態や縦抱き状態で保持する幼児保持部材とを備えた構成としている。
このように構成されているベビーキャリアは、外出するときに主に使用され、幼児を寝かせた横抱き状態で保持するときには、使用者装着部材の左右の肩掛けベルトに取り付けられている雌側バックルに、幼児保持部材のヘッドサポートから延びるそれぞれの連結ベルトに取り付けられている雄側バックルを差し込み係合させて幼児保持部材のヘッドサポート側を左右の肩掛けベルトに連結させる。また、幼児保持部材の帯状支持部材（股間部保持部材）の先端側に取り付けられている連結ベルトのフック部材を、肩掛けベルトの一方側のループ部に対して係合させる。これにより、幼児保持部材を使用者の前側に横向きに取り付けて、幼児を横向き状態で保持し得るようにしている（文献１の図１）。
【０００４】
一方、幼児を立たせた縦抱き状態で保持するときには、使用者装着部材の左右の肩掛けベルトに取り付けられている２個の係合ボタンに、幼児保持部材のヘッドサポートに取り付けられている２個の係合ボタンを嵌め合わせる。また、使用者装着部材の左右の肩掛けベルトに取り付けられている雌側バックルに、幼児保持部材の延長部から延びるベルト部材の先端側に取り付けられている雄側バックルを差し込み係合させる。これにより、幼児保持部材を使用者の前側に縦向きに取り付けて、幼児を縦抱き状態で保持し得るようにしている（文献１の図２）。
【先行技術文献】
【特許文献】
【０００５】
【特許文献１】特開２００４−１８１２６８号公報（段落番号００８３〜００９９、および図１、図２など参照）
【特許文献２】特開２０００−２４５５８１号公報（段落番号００１７〜００１８、および図１４など参照）
【考案の概要】
【考案が解決しようとする課題】
【０００６】
しかしながら、前記の特許文献１および特許文献２に記載の従来技術では、幼児を寝かせた横抱き状態で保持する幼児保持部材の使用者装着部材への連結、特に、文献１の図１および図６に示されているように、幼児の背中部分を支える幼児保持部材１００の背中部保持部材１１８、ヘッドサポート１２０，１２１から延びる左右の連結ベルト１２２，１２３のうち、幼児の背中、肩部分の外側から使用者装着部材２００の肩掛けベルト２１０側に吊持状に連結されるヘッドサポート１２０を含む連結ベルト１２２によって、幼児の身体が使用者側に引き寄せられるように締め付けられる窮屈な横抱き保持となり、幼児に締め付けによる圧迫感を与えるおそれがある。そのために、長時間にわたる継続的な使用を避けて頻繁に休憩するなどによって窮屈な横抱き保持を解放してあげる必要がある。
【０００７】
なお、締め付けによる圧迫感を解消するために、連結ベルトの肩掛けベルトに対する連結長さを調整可変することはできるが、幼児の保持状態が不安定になるなどの安定性に欠けるものとなってしまう。すなわち、横抱き状態で保持する乳児期の幼児は、首がすわらず、身体がしっかりしていないために、縦抱き状態での保持が可能な首がすわり、身体がしっかりしている幼児に比べて保持状態の安全性と安定性がより求められるものである。
【０００８】
また、従来技術では、横抱き状態で保持する幼児の身体露出が多く、夏場の強い日差しや冬場の冷気などから幼児の身体を保護することができない。
そのために、夏場の強い日差しや冬場の冷気などから幼児を保護するための防護具を別途に準備する必要があった。例えば、夏場の外出先などで日差しが強くなったときなどには、使用者は手持ちのハンカチやタオルなどを用いて幼児の身体を強い日差しから保護するなどの対策を講じる必要があった。
【０００９】
そこで、本考案は、このような問題を解消することを課題に創案されたものである。すなわち、横抱き状態で保持される幼児の身体に締め付けなどによる窮屈な圧迫感を与えることなく、幼児をより安定良く、安全に寝かせ保持することができること、キャリア構成部材を利用して横抱き状態で保持する幼児の身体を夏場の日差しや冬場の冷気などから保護することができること、などが本考案の目的である。
【課題を解決するための手段】
【００１０】
前記課題を解決するために、本考案では、寝かせた横抱きと立たせた縦抱きとのそれぞれの状態で幼児を保持するベビーキャリアであって、
幼児を縦抱き状態で保持する縦抱き用キャリア体と、該縦抱き用キャリア体に着脱可能に装着されて幼児を横抱き状態で保持する横抱き用キャリア体とを備え、前記横抱き用キャリア体は、幼児を寝かせた姿勢で収容保持する横長状に形成される横抱きキャリア部と、該横抱きキャリア部の長手方向の両側を、前記縦抱き用キャリア体の縦抱きキャリア部または左右の肩掛けベルトに対して着脱可能に連結するための連結手段とを備えて構成されていることを特徴とする。
【００１１】
ここで、前記横抱き用キャリア体の横抱きキャリア部は、前記縦抱きキャリア部の内側に位置して該縦抱きキャリア部に支持されるように形成されていること、また、前記横抱きキャリア部は、幼児の寝かせ保持領域に所定の保形性を有するパッド部材を備え、かつ、幼児を保持するベルト部材を備えていること、などの構成を採用することが好適なものとなる。
【００１２】
このような構成によれば、使用者の身体に左右の肩掛けベルトなどによって装着されて支持される縦抱き用キャリア体に対して横抱き用キャリア体は連結されて幼児を寝かせた姿勢で収容保持する。このとき、縦抱き用キャリア体の縦抱きキャリア部または左右の肩掛けベルトに対して連結手段により連結される横抱き用キャリア体の横抱きキャリア部の長手方向の一側は寝かせた幼児の頭頂部側に位置し、他側は寝かせた幼児の股間部に位置して幼児を保持する。
そして、横抱きキャリア部は、縦抱き用キャリア体の縦抱きキャリア部の内側（使用者の腹部側）に位置して長手方向の略全体が縦抱きキャリア部（尻受け部）によって下から略水平に支持された状態で寝かせた幼児を収容保持するとともに、幼児は縦抱きキャリア部によって夏場の日差しや冬場の冷気などから保護される。
【００１３】
また、横抱きキャリア部は、長手方向の両側が縦抱き用キャリア体に連結されていることで、使用者が幼児の保持姿勢を崩したとしても、縦抱きキャリア部からキャリア側方に移動、飛び出すことなく、縦抱きキャリア部の内側において幼児を収容保持する。
【考案の効果】
【００１４】
本考案のベビーキャリアによれば、生後約３〜４ヶ月以降の首、腰がすわった幼児を略垂直状に立たせた縦抱き状態で保持する縦抱き用キャリア体に横抱き用キャリア体を装着することで、生後間もない首、腰がすわる前の乳児期の幼児を略水平状に寝かせた横抱き状態で保持することができる。すなわち、生後間もない首、腰がすわる前の乳児期からの継続使用が可能になる。
【００１５】
また、横抱き用キャリア体の横抱きキャリア部は、その長手方向の両側が縦抱き用キャリア体に連結されると同時に、その長手方向の略全体が縦抱き用キャリア体の縦抱きキャリア部によって下から略水平に支持された状態で幼児を寝かせ保持するように形成されていることで、幼児の身体に締め付けなどによる窮屈な圧迫感を与えることなく、幼児を安定良く、安全に寝かせ保持させることができる。
【００１６】
また、横抱きキャリア部は、縦抱き用キャリア体のキャリア構成部材である縦抱きキャリア部の内側において該縦抱きキャリア部によって覆われた状態で幼児を寝かせ保持することで、幼児の身体を夏場の強い日差しや冬場の冷気などから保護することができる。
【００１７】
このように、本考案によれば、横抱き用キャリア体によって横抱き状態で保持される幼児に、締め付けなどによる圧迫感を与えることなく、幼児をより快適に、かつ、安定良く、安全に保持（サポート）することができ、しかも、縦抱き用キャリア体の縦抱きキャリア部を利用して夏場の日差しや冬場の冷気などから幼児を保護することができるなどの、有益な効果を有するベビーキャリアを提供することができる。
【図面の簡単な説明】
【００１８】
【図１】本考案の実施形態に係るベビーキャリアを構成する縦抱き用キャリア体に対して横抱き用キャリア体を装着した状態を示す展開説明図である。
【図２】縦抱き用キャリア体の一例を示す展開説明図である。
【図３】横抱き用キャリア体の一例を示す斜視図である。
【図４】同横抱き用キャリア体の展開説明図である。
【図５】縦抱き用キャリア体による幼児の縦抱き状態の一例を示す使用説明図である。
【図６】縦抱き用キャリア体に装着させた横抱き用キャリア体による幼児の横抱き状態を示す使用説明図である。
【考案を実施するための形態】
【００１９】
以下、本考案の実施形態に係るベビーキャリアについて、添付図面を適宜参照しながら詳細に説明する。ただし、この実施形態によって本考案が限定されるものではない。
図１は、本実施形態に係るベビーキャリアを構成する縦抱き用キャリア体に横抱き用キャリア体を装着した状態を内側から見たときの展開説明図である。
【００２０】
≪ベビーキャリアの構成≫
ベビーキャリアＡは、幼児ｂの成長に合わせて横抱き状態から縦抱き状態との両保持形態で使用される。このベビーキャリアＡは、使用者（保護者）Ｂの身体に装着されて幼児ｂを縦抱き保持する縦抱き用キャリア体Ａ１と、この縦抱き用キャリア体Ａ１に着脱可能に装着されて幼児ｂを横抱き保持する横抱き用キャリア体Ａ２とを備えて構成されている。
ここで、横抱きは、使用者Ｂの前側において幼児ｂを略水平状に寝かせた横抱き状態での保持形態である。縦抱きは、使用者Ｂの前側と後側において幼児ｂを略垂直状に立たせた縦抱き状態での保持形態であり、そのうち、使用者Ｂの前側における保持形態は、対面抱っこや前向き抱っこである。使用者Ｂの後側における保持形態は、おんぶ（背負う形態）である。
【００２１】
≪縦抱き用キャリア体の構成≫
図２は、縦抱き用キャリア体の一例を示す展開説明図である。
縦抱き用キャリア体Ａ１は、使用者Ｂの身体に装着されて、幼児ｂを略垂直状に立たせた縦抱き状態で保持するように構成されている。この縦抱き用キャリア体Ａ１は、図２に示すように、縦抱きキャリア部１と、左右の肩掛けベルト２と、縦抱きキャリア部１の下端辺側に取り付けられる腰ベルト３およびその上端辺側に取り付けられるヘッドサポート４とを備えた形態に構成されている。
【００２２】
≪縦抱きキャリア部の構成≫
縦抱きキャリア部１は、例えば、柔らかなディンプル生地などから内張り素材の表面側に撥水性に優れた外張り素材が設けられているシート地材を用いて形成されている。
この縦抱きキャリア部１は、図２および後記の図５に示すように、幼児ｂの背中全体を包囲するように支える背当て部１ａと、この背当て部１ａから延設されて幼児ｂの尻部を支える尻受け部（股当り部）１ｂとから、上端辺側を広く、下端辺側に至るにしたがって狭くなる縦長で逆向きの略台形形状に形成されている。
【００２３】
≪肩掛けベルトの構成≫
肩掛けベルト２は、縦抱きキャリア部１の尻受け部１ｂを含めて背当て部１ａの両側部分を形成するようにその両側から上方に延設するように縫着されて設けられる肩掛け帯部２ａと、この肩掛け帯部２ａの解放端側に一端側が取り付けられるとともに、他端側が腰ベルト３に取り付けられる伸縮自在な連結ベルト部２ｂとから形成されている。
【００２４】
また、本実施形態では、図２に示すように、左右の肩掛けベルト２の肩掛け帯部２ａに雄雌一対のバックル５ａ，５ｂによって係脱可能に連結されるブリッジベルト６を備えている。
【００２５】
また、図２に示すように、連結ベルト部２ｂの一端側が取り付けられる左右の肩掛けベルト２の解放端側を縦抱きキャリア部１の両側にそれぞれ連結するための左右の繋ぎ止めベルト７を備えている。
この左右の繋ぎ止めベルト７の左右の肩掛けベルト２の解放端に対する取り付けは、当該解放端に取り付けられている長さ調整環８に折り返し挿通された状態で取り付けられる。
これにより、長さ調整環８に対する繋ぎ止めベルト７のベルト方向の折り返し挿通を変えることで、使用者Ｂの体型や幼児ｂの成長などに合わせて、縦抱きキャリア部１と使用者Ｂの前側（腹部や胸部）あるいは後側（背中）との間の間隔を調整変更し得るようになっている。
【００２６】
≪腰ベルトの構成≫
腰ベルト３は、図２に示すように、縦抱きキャリア部１の下端辺側（尻受け部１ｂ）に取り付けられる幅広ベルト部３ａと、この幅広ベルト部３ａの両側にそれぞれ取り付けられるとともに、雄雌一対のバックル９ａ，９ｂによって係脱自在に連結される左右の幅狭ベルト部３ｂとからなり、後記の図５に示すように、使用者Ｂの腰部にループ状に巻き付け装着されるように形成されている。
【００２７】
≪ヘッドサポートの構成≫
ヘッドサポート４は、例えば、通気性に優れたメッシュなどからなる内側素材と撥水性などに優れたナイロンなどからなる外側素材との重ね合せシート地材などを用いた縫製によって形成されている。
このヘッドサポート４は、図２に示すように、下端縁側が背当て部１ａの上端辺側に縫着などによって取り付けられることで縦抱きキャリア部１に備えられ、上端縁側における幅方向両側には伸縮自在なベルト１０の一端側を縫着によって取り付け、該ベルト１０の他端側に上顎と下顎からなる挟持具（クリップ）１１を備えている。
これにより、左右の肩掛けベルト２を咬むように挟持具１１を係着させてヘッドサポート４を左右の肩掛けベルト２に連結させることで、縦抱き状態の幼児ｂが寝たときなどに、頭部をヘッドサポート４で保持し得るようにしている。
【００２８】
≪横抱き用キャリア体の構成≫
つぎに、横抱き用キャリア体Ａ２について説明する。
図３および図４は、横抱き用キャリア体の一例を示す斜視図および展開説明図である。ここでは、図１および図２を適宜参照しながら説明する。
横抱き用キャリア体Ａ２は、図１および後記の図６に示すように、縦抱き用キャリア体Ａ１の縦抱きキャリア部１に着脱可能に装着され、使用者Ｂの前側において幼児ｂを略水平状に寝かせた横抱き状態で保持するように構成されている。
この横抱き用キャリア体Ａ２は、図３および図４に示すように、横抱きキャリア部１２と、この横抱きキャリア部１２の両側に連結手段を備えた形態に構成されている。
【００２９】
≪横抱きキャリア部の構成≫
横抱きキャリア部１２は、幼児ｂを寝かせて保持する際の態様の変化や幼児ｂの動作に追従可能な柔らかな素材が好ましく、例えば、ディンプル生地などからなるシート地材を用いて形成されている。
この横抱きキャリア部１２は、図３および図４に示すように、一端側が幼児ｂの頭部をすっぽりと包囲する程度の深さで、幼児ｂの尻部（股間部）側の他端側に至るしたがって深さが漸次浅くなる略舟形状（略横長状）に形成されている。そして、横抱きキャリア部１２は、長手方向の両側に連結手段の後記する連結ベルト１９，２０が縫着により取り付けられるベルト取付端部１４，１５をそれぞれ備えている。
【００３０】
また、横抱きキャリア部１２は、図４に示すように、幼児ｂを寝かせ保持する保持領域（船底部分）に所定の保形性を有するパッド部材１６を備えている。このパッド部材１６は、所定の保形性を有するように加工された厚めの布地やウレタンなどの所望の材料を用いて、横抱きキャリア部１２の底部（船底）の長手方向と幅方向の略全域に至る形状に形成され、内張り素材と外張り素材との間に内在された状態で設けられる。
【００３１】
また、横抱きキャリア部１２は、図３および図４に示すように、雄面ファスナ１７を一方側に備えて係脱可能に連結される幅広のベルト部材１８を備えている。これにより、幼児ｂの腹部回りに、幼児ｂの体型に合わせた連結長さにて巻き付け装着することで、幼児ｂをより安全に寝かせ保持し得るようにしている。
なお、雄面ファスナ１７が備えられていない他方側のベルト部材１８の表面全体には、雄面ファスナ１７が係着する布材が備えられていて、幼児ｂの体型に応じた任意のベルト長さ位置で係着連結し得るようにしている。
【００３２】
≪連結手段の構成≫
連結手段は、横抱き用キャリア体Ａ２を使用するときに、図１に示すように、横抱きキャリア部１２の両側を縦抱き用キャリア体Ａ１の縦抱きキャリア部１の両側に着脱可能に連結するためのものであり、横抱きキャリア部１２の両側と縦抱きキャリア部１の両側に縫着されて取り付けられるそれぞれの連結ベルト１９，２０、２１，２２を含み、互いに係脱自在に係着されるそれぞれ雄雌一対のバックル２３，２４、２５，２６から構成されている。
【００３３】
連結ベルト１９，２０、２１，２２のうち、連結ベルト１９，２０の一端側は、図３および図４に示すように、横抱きキャリア部１２の両側のベルト取付端部１４，１５に縫着により取り付けられ、残る連結ベルト２１，２２の一端側は、図２に示すように、縦抱きキャリア部１の両側に縫着により取り付けられる。
そして、雄雌一対のバックル２３，２４、２５，２６のうち、雄側バックル２３と雌側バックル２４は、横抱きキャリア部１２の両側の連結ベルト１９，２０の他端側にそれぞれ取り付けられ、残る雄側バックル２５と雌側バックル２６は、縦抱きキャリア部１の連結ベルト２１，２２の他端側にそれぞれ取り付けられる。
【００３４】
なお、横抱きキャリア部１２側において雄側バックル２３が取り付けられる連結ベルト１９は、図３および図４に示すように、ベルト長さを任意に調整することができるように、雄側バックル２３を取り付けている。
また、縦抱きキャリア部１側において雄側バックル２５が取り付けられる連結ベルト２２は、図２に示すように、ベルト長さを任意に調整することができるように、雄側バックル２５を取り付けている。
これにより、横抱きキャリア部１２側の雌側バックル２４が連結された状態で、横抱きキャリア部１２の縦抱きキャリア部１に対するベルト長さ（連結間隔）を任意に調整可変し得るようにしている。さらに、縦抱きキャリア部１の両側に備えられる連結ベルトを２１，２２を含む、雄雌一対のバックル２５，２６は、後記の図５に示すように、幼児ｂを縦抱き状態で保持するとき、連結ベルト２１，２２を幼児ｂの体型に合わせた長さにて上半身に巻き付け連結し得るようになっている。
【００３５】
すなわち、縦抱きキャリア部１側に備えられる連結ベルト２１，２２を含む、雄雌一対のバックル２５，２６は、幼児ｂを横抱き状態で保持するときには横抱きキャリア部１２の両側を縦抱きキャリア部１の両側に連結する連結手段となり、一方、縦抱きキャリア部１にて幼児ｂを縦抱き状態で保持するときには幼児ｂをより安全に保持するための補助手段として兼用されるようになっている。
換言すれば、本実施形態に係る横抱き用キャリア体Ａ２は、縦抱き状態で幼児ｂを保持するときに使用される補助手段である連結ベルト２１，２２を含む、雄雌一対のバックル２５，２６を縦抱きキャリア部１に備えている既存の縦抱き専用の縦抱き用キャリア体に横抱きを兼用させるための横抱き用キャリア体として単体で販売することが可能となる。
【００３６】
［作用説明］
つぎに、以上のように構成されている縦抱き用キャリア体Ａ１と横抱き用キャリア体Ａ２とからなる本実施形態に係るベビーキャリアＡの使用について簡単に説明する。
図５は、縦抱き用キャリア体による幼児の縦抱き状態を示す使用説明図であり、図６は、縦抱き用キャリア体に装着させた横抱き用キャリア体による幼児の横抱き状態を示す使用説明図である。ここでは、図１を適宜参照しながら説明する。
【００３７】
生後約３〜４ヶ月以降の首、腰がすわった幼児ｂを略垂直状に立たせた縦抱き状態で保持する場合には、使用者Ｂは縦抱き用キャリア体Ａ１の左右の肩掛けベルト２を両肩に掛け、腰ベルト３を腰に巻き付けるように取り付けて縦抱き用キャリア体Ａ１を身体の前側に装着し、図５に示すように、幼児ｂを縦抱きキャリア部１に収容させた対面抱っこの縦抱き状態で保持する。
このとき、縦抱きキャリア部１側に備えられている雄雌一対のバックル２５，２６を差し込み係着させて連結ベルト２１，２２を幼児ｂの胸部回りなどに巻き付けるように連結させて幼児ｂを補助するようにする。
【００３８】
そして、生後間もない首、腰がすわる前の乳児期の幼児ｂを略水平状に寝かせた横抱き状態で保持するときには、図１に示すように、横抱きキャリア部１２側の雄雌それぞれのバックル２３，２４を、縦抱きキャリア部１側の雄雌それぞれのバックル２５，２６に対して差し込み係着させて横抱き用キャリア体Ａ２を縦抱き用キャリア体Ａ１に連結する。
このとき、横抱きキャリア部１２側と縦抱きキャリア部１側のベルト長さを調整可能とする連結ベルト１９、２２のベルト長さを、横抱きキャリア部１２が縦抱きキャリア部１の内側（使用者Ｂ側）に位置して尻受け部１ｂによって下から受け支えられるように、また、横抱きキャリア部１２が縦抱きキャリア部１からキャリア側方に移動、飛び出さないように調整する。
【００３９】
このようにして、横抱き用キャリア体Ａ２を縦抱き用キャリア体Ａ１に装着し、幼児ｂを横抱きキャリア部１２に寝かせた横抱き状態で保持する。すると、図６に示すように、幼児ｂを寝かせ収容する横抱きキャリア部１２は、その略全体が縦抱きキャリア部１の内側（使用者Ｂの腹部側）において尻受け部１ｂによって下から受け支えられた状態で、幼児ｂを横抱き状態で保持する。このとき、縦抱き状態で幼児ｂの頭部を保持するために使用される縦抱き用キャリア体Ａ１に備えられているヘッドサポート４を活用することで、幼児ｂの身体を横抱きキャリア部１とともに夏場の強い日差しなどから保護する上でより有効なものとなる。
【００４０】
以上、本考案の実施形態の具体例を詳細に説明したが、前記詳述の実施形態は例示にすぎなく、実用新案登録請求の範囲を限定するものではない。実用新案登録請求の範囲に記載の技術事項には、本考案の要旨を逸脱しない範囲で設計変更などしたものであっても含まれるものである。
例えば、縦抱きキャリア体Ａ１に構成形態として、腰ベルト３を備えている構成を採用したほうが幼児ｂを安定的に保持することができるなどの安全性の面などにおいて有効ではあるが、腰ベルト３を縦抱きキャリア部１の下端辺から取り外して、左右の肩掛けベルト２の連結ベルト部２ｂを縦抱きキャリア部１の尻受け部（股当り部）１ｂの両側に直接取り付けるなどの構成とすることができる。
また、他の変形例として、連結ベルト部２ｂによる肩掛け帯部２ａと腰ベルト３との連結形態を取り止めて、肩掛け帯部２ａの解放端側を繋ぎ止めベルト７のみで、図２に示すように、縦抱きキャリア部１に連結させてなる構成形態とすることができる。
【００４１】
また、横抱きキャリア部１２の両側を縦抱きキャリア部１の両側に連結する連結手段を構成する要素として、雄雌一対のバックル２３，２４、２５，２６に代えて、縦抱きキャリア部１側の連結ベルト２１，２２にベルト通し環を取り付け、横抱きキャリア部１２側の連結ベルト１９，２０に互いに係脱自在に係着連結し合うホックなどからなる係着部材を備えて、ベルト通し環に連結ベルト１９，２０を折り返すように通してループ状に連結するなどの構成とすることができる。
また、連結手段による横抱きキャリア部１２の縦抱きキャリア体Ａ１への連結を、縦抱きキャリア部１に代えて、左右の肩掛けベルト２（肩掛け帯部２ａ）に対して連結するように構成することができる。
【符号の説明】
【００４２】
Ａ      ベビーキャリア
Ａ１    縦抱き用キャリア体
Ａ２    横抱き用キャリア体
１      縦抱きキャリア部
２      肩掛けベルト
１２    横抱きキャリア部
１６    パッド部材
１８    ベルト部材
１９，２０、２１，２２  連結ベルト（連結手段）
２３，２４、２５，２６  バックル（連結手段）
【図１】
0003171045.tif 000003
【図２】
0003171045.tif 000004
【図３】
0003171045.tif 000005
【図４】
0003171045.tif 000006
【図５】
0003171045.tif 000007
【図６】
0003171045.tif 000008